(57)【特許請求の範囲】
【請求項１】
電池が挿脱可能に収納される電池収納部を有する電池収納部材と、
前記電池収納部の電池挿脱口を開閉可能に覆う電池蓋と、
前記電池蓋を開閉方向に回動可能に支持する回動軸と、
前記電池蓋を開方向に付勢する付勢部材と、
前記付勢部材の付勢力による前記電池蓋の全開位置からの開方向への回動を規制する規制手段と、
前記電池蓋と一体に設けられ、前記電池収納部材に対して前記電池蓋が閉じた状態で前記電池蓋と前記電池収納部材との間をシールする弾性変形が可能なパッキン部材と、を備え、
前記パッキン部材は、前記電池蓋と共に前記回動軸に回動可能に支持され、
前記パッキン部材は、前記電池蓋が開方向に回動して前記全開位置で前記規制手段により開方向への回動が規制される前に、前記電池収納部材に設けられた当接部に当接して閉方向に弾性変形することで前記電池蓋の前記全開位置までの回動速度を減速させる被当接部を有し、
前記被当接部は、前記付勢部材の付勢力に対して剛性が低いことを特徴とする電子機器。
【請求項２】
前記パッキン部材は、前記電池蓋が閉じた状態で前記電池収納部材に設けられた密閉部に密着して前記回動軸の周囲の空間をシールするシール部を有することを特徴とする請求項１に記載の電子機器。
【請求項３】
前記被当接部と前記シール部とは一体に形成されていることを特徴とする請求項２に記載の電子機器。
【請求項４】
前記被当接部は、前記電池蓋が開状態のときに前記電池収納部材に向けて突出するように形成されていることを特徴とする請求項１乃至３のうち何れか１項に記載の電子機器。
【発明の詳細な説明】
【技術分野】
【０００１】
本発明は、電池収納部が設けられた例えばデジタルカメラやデジタルビデオカメラ等の撮像装置を含む電子機器に関する。
【背景技術】
【０００２】
デジタルカメラ等の電子機器では、機器本体の内部に電池を挿脱可能に収納するための電池収納部が設けられるものがある。電池収納部には、電池挿脱口を開閉可能に覆う電池蓋が回動軸を介して開閉方向に回動可能に取り付けられている。
【０００３】
そして、電池蓋の閉状態では、ロック部材により閉状態が維持され、ユーザによりロック部材の解除操作がされると、回動軸近傍に配置されたバネ等の付勢力により電池蓋が開方向に回動して開状態となる。
【０００４】
一方、電池蓋の閉状態において機器本体の内部への塵埃や水等の異物の侵入を防ぐ目的で、電池蓋と機器本体との間に生じる隙間を弾性を有するパッキン部材にて密閉する防塵防滴機構が知られている（特許文献１）。
【先行技術文献】
【特許文献】
【０００５】
【特許文献１】特開２０１３−１４８７１１号公報
【発明の概要】
【発明が解決しようとする課題】
【０００６】
ところで、電池蓋がバネ等により常に開方向へ付勢される構造の場合、電池蓋を開ける際に、電池収納部材に設けられた開位置を規制するストッパ部に電池蓋が勢いよく衝突し、衝突音や励振音が発生する問題がある。
【０００７】
また、電池蓋が繰り返してストッパ部に衝突することで、衝突部分が削れてしまい、その削れ粉が機器内部に侵入して機器の動作に悪影響を及ぼす可能性がある。
【０００８】
この場合、別途緩衝部材を追加することで、前述した衝突音を和らげたり、削れ粉の発生を低減したりすることができるが、新たに部品を追加する必要があるため、機器の低コスト化を妨げる原因になる。
【０００９】
そこで、本発明は、新たな部品を追加することなく、電池蓋を開く際の衝突音や励振音を低減することができるとともに、電池蓋の衝突時に発生する削れ粉による機器動作への影響を回避することができる電子機器を提供することを目的とする。
【課題を解決するための手段】
【００１０】
上記目的を達成するために、本発明の電子機器は、電池が挿脱可能に収納される電池収納部を有する電池収納部材と、前記電池収納部の電池挿脱口を開閉可能に覆う電池蓋と、前記電池蓋を開閉方向に回動可能に支持する回動軸と、前記電池蓋を開方向に付勢する付勢部材と、前記付勢部材の付勢力による前記電池蓋の全開位置からの開方向への回動を規制する規制手段と、前記電池蓋と一体に設けられ、前記電池収納部材に対して前記電池蓋が閉じた状態で前記電池蓋と前記電池収納部材との間をシールする弾性変形が可能なパッキン部材と、を備え、前記パッキン部材は、前記電池蓋と共に前記回動軸に回動可能に支持され、前記パッキン部材は、前記電池蓋が開方向に回動して前記全開位置で前記規制手段により開方向への回動が規制される前に、前記電池収納部材に設けられた当接部に当接して閉方向に弾性変形することで前記電池蓋の前記全開位置までの回動速度を減速させる被当接部を有し、前記被当接部は、前記付勢部材の付勢力に対して剛性が低いことを特徴とする。
【発明の効果】
【００１１】
本発明によれば、新たな部品を追加することなく、電池蓋を開く際の衝突音や励振音を低減することができるとともに、電池蓋の衝突時に発生する削れ粉による機器動作への影響を回避することができる。
【図面の簡単な説明】
【００１２】
【図１】（ａ）は本発明の電子機器の第１の実施形態であるデジタルカメラを正面側上方から見た斜視図、（ｂ）は（ａ）に示すデジタルカメラを背面底側から見た斜視図、（ｃ）は（ｂ）に示すデジタルカメラの電池蓋を開いた状態を示す斜視図である。
【図２】電池収納部材及び電池蓋の分解斜視図である。
【図３】（ａ）はカメラ本体に対して電池蓋を開いた状態をカメラ本体の底面側から見た図、（ｂ）は（ａ）の矢印Ａ方向から見た図である。
【図４】電池蓋が閉じられた状態のカメラ本体を底面側から見た図である。デジタルカメラ本体の底面図である。
【図５】（ａ）は図４のＢ−Ｂ線断面図、（ｂ）は（ａ）のＣ部拡大断面図、（ｃ）は（ａ）のＤ部拡大断面図である。
【図６】（ａ）は図５（ａ）の状態からスライドロックレバーを係合解除方向にスライド操作してスライドロックレバーと電池収納部材との係合を解除した状態を示す断面図、（ｂ）は電池収納部材に対して電池蓋が開いた状態を示す断面図である。
【図７】（ａ）は電池蓋が開方向に回動してストッパリブが電池収納部材の回動規制部に衝突する直前の状態を示す要部断面図、（ｂ）は電池蓋が全開位置まで開方向に回動してストッパリブが電池収納部材の回動規制部に衝突した状態を示す要部断面図である。
【図８】（ａ）は本発明の電子機器の第２の実施形態であるデジタルカメラにおいて、電池蓋が閉じている状態での要部断面図、（ｂ）は電池蓋が全開位置まで回動した状態での要部断面図である。
【発明を実施するための形態】
【００１３】
以下、図面を参照して、本発明の実施形態を説明する。
【００１４】
（第１の実施形態）
図１（ａ）は本発明の電子機器の第１の実施形態であるデジタルカメラを正面側上方から見た斜視図、図１（ｂ）は図１（ａ）に示すデジタルカメラを背面底側から見た斜視図である。
【００１５】
図１（ａ）に示すように、本実施形態のデジタルカメラ１００は、カメラ本体１０１の正面側に、ズーム式の鏡筒ユニット１０２が設けられ、カメラ本体１０１の上面部には、電源ボタン１０４及びレリーズボタン１０５等が設けられている。カメラ本体１０１の背面部には、図１（ｂ）に示すように、表示部１０８が設けられ、表示部１０８の側部には、各種操作ボタン群１０７が設けられている。カメラ本体１０１の底面部中央には、三脚座１０９が設けられ、三脚座１０９の側部には、電池収納部１１０ａ（図１（ｃ）参照）の電池挿脱口を開閉可能に覆う電池蓋２００が設けられている。
【００１６】
電池収納部１１０ａは、電池収納部材１１０（図２参照）に設けられ、電池蓋２００は、三脚座１０９側に配置される回動軸２０７（図２参照）を介してカメラ本体１０１に対して開閉方向に回動可能に支持される。電池蓋２００には、スライドロックレバー２０４がスライド移動可能に設けられ、スライドロックレバー２０４をスライド操作することで、電池蓋２００を開くことができる。
【００１７】
図１（ｂ）の状態では、スライドロックレバー２０４の係合部２０４ａ（図５参照）が電池収納部材１１０に係合して電池蓋２００の閉じ状態を保持している。図１（ｂ）の状態から図の矢印方向にスライドロックレバー２０４をスライド操作すると、スライドロックレバー２０４の係合部２０４ａと電池収納部材１１０との係合が解除される。これにより、電池蓋２００は、後述するトーションバネ２０２の付勢力によって回動軸２０７を介して開方向に回動し、図１（ｃ）に示す状態となる。
【００１８】
図１（ｃ）は、図１（ｂ）に示すデジタルカメラ１００の電池蓋２００を開いた状態を示す斜視図である。図１（ｃ）に示すように、電池蓋２００を開くことで、電池４００が挿脱可能に収納される電池収納部１１０ａが外部に露出する。電池収納部１１０ａの電池挿脱口の隅部には、電池収納部１１０ａへの電池４００の挿入状態をロックするロック部材１１１が設けられている。ロック部材１１１を操作することで、電池４００のロックが解除され、電池収納部１１０ａ内に設けられた不図示の排出バネの付勢力により電池４００が取り出し可能な位置まで排出される。
【００１９】
図２は、電池収納部材１１０及び電池蓋２００の分解斜視図である。図２に示すように、電池蓋２００は、樹脂製のカバー部材２０１、電池蓋２００を開方向へ付勢する金属製のトーションバネ２０２、弾性を有するパッキン部材２０３、スライドロックレバー２０４、及びインナー板金２０５を備える。
【００２０】
カバー部材２０１には、回動軸２０７を挿入するための穴部２０１ａ、スライドロックレバー２０４をガイドするガイド部２０１ｄ、及びガイド部２０１ｄの穴部２０１ａに近い側に設けられたクリック山２０１ｂが形成されている。
【００２１】
パッキン部材２０３には、回動軸２０７を挿入するための穴部２０３ａ、電池収納部材１１０との密閉部２０３ｃ、及び穴部２０３ａから密閉部２０３ｃと反対方向に突出する突出部２０３ｂが設けられている。
【００２２】
スライドロックレバー２０４には、電池収納部材１１０との係合部２０４ａ、及びカバー部材２０１のクリック山２０１ｂに係合するクリック爪２０４ｂが形成されている。クリック爪２０４ｂは、スライドロックレバー２０４の電池収納部材１１０との係合解除方向のスライド移動端でカバー部材２０１のクリック山２０１ｂに係合し、これにより、スライドロックレバー２０４ががたつくことなく停止する。
【００２３】
トーションバネ２０２は、コイル部２０２ｂの両端にそれぞれ第１腕部２０２ａ及び第２腕部２０２ｄが設けられ、第２腕部２０２ｄの先端には、圧縮コイルバネ部２０２ｃが一体に形成されている。
【００２４】
そして、電池蓋２００を組み立てるには、まず、カバー部材２０１の内観側にトーションバネ２０２、パッキン部材２０３、スライドロックレバー２０４、インナー板金２０５を順に組み込む。その後、インナー板金２０５側から挿入したネジ２０６をカバー部材２０１に設けられたボス２０１ｅに締結することで、電池蓋２００の組立が完了する。
【００２５】
組立完了状態では、スライドロックレバー２０４は、カバー部材２０１のガイド部２０１ｄにガイドされ、かつインナー板金２０５に覆われた状態でスライド移動可能に保持される。
【００２６】
また、トーションバネ２０２の第２腕部２０２ｄの先端部に設けられた圧縮コイルバネ部２０２ｃは、カバー部材２０１とインナー板金２０５との間に挟まれ、これにより、インナー板金２０５とトーションバネ２０２とが電気的に接続される。パッキン部材２０３は、カバー部材２０１に位置決めされて、カバー部材２０１とインナー板金２０５との間に挟まれた状態でネジ２０６にて固定されている。
【００２７】
電池収納部材１１０は、樹脂材で形成され、電池収納部１１０ａ、回動軸２０７を挿入するための穴部１１０ｂ、電池蓋２００との密閉部１１０ｃ、トーションバネ２０２の第１腕部２０２ａを挿入するための凹状のバネ掛け部１１０ｄを有する。ロック部材１１１は、電池収納部材１１０に対して所定範囲内で移動可能に取り付けられ、不図示の付勢部材により電池４００をロックする方向に付勢されている。
【００２８】
電池収納部材１１０に電池蓋２００を組み付けるには、まず、電池蓋２００のトーションバネ２０２の第１腕部２０２ａを図の破線のように変形させて電池収納部材１１０のバネ掛け凹部１１０ｄに挿入し、この状態で電池蓋２００を電池収納部材１１０に載せる。その後、電池収納部材１１０の穴部１１０ｂ、カバー部材２０１の穴部２０１ａ、トーションバネ２０２のコイル部２０２ｂ、及びパッキン部材２０３の穴部２０３ａに金属製の回動軸２０７を挿入する。
【００２９】
これにより、電池収納部材１１０に対して、電池蓋２００は、開き方向に付勢された状態で開閉方向に回動可能に支持される。また、前述したように、インナー板金２０５とトーションバネ２０２は電気的に接続され、トーションバネ２０２のコイル部２０２ｂと回動軸２０７も電気的に接続される。このため、回動軸２０７をカメラ本体１０１のグランドに接続することで、インナー板金２０５に静電気が印加された場合でも、印加された静電気は、電池４００に２次放電することなく、カメラ本体１０１のグランドに導かれる。
【００３０】
次に、図３を参照して、電池蓋２００のシール構造について説明する。図３（ａ）はカメラ本体１０１に対して電池蓋２００を開いた状態をカメラ本体１０１の底面側から見た図、図３（ｂ）は図３（ａ）の矢印Ａ方向から見た図である。
【００３１】
図３（ａ）に示すように、電池収納部材１１０の密閉部１１０ｃは、電池収納部１１０の周囲に沿って全周にわたって設けられている。また、図３（ｂ）に示すように、電池蓋２００のパッキン部材２０３の密閉部２０３ｃは、密閉部１１０ｃに対応して、電池蓋２００の内観側の外周部に沿って全周にわたって設けられている。
【００３２】
密閉部１１０ｃと密閉部２０３ｃとは、電池収納部材１１０に対して電池蓋２００が閉じている状態では、互いに密着して電池蓋２００と電池収納部材１１０との間の隙間を無くし、外部から電池収納部１１０ａへ塵埃や水等の異物が侵入するのを防いでいる。
【００３３】
次に、図４及び図５を参照して、電池蓋２００の構造について更に詳しく説明する。図４は、電池蓋２００が閉じられた状態のカメラ本体１０１を底面側から見た図である。図５（ａ）は図４のＢ−Ｂ線断面図、図５（ｂ）は図５（ａ）のＣ部拡大断面図、図５（ｃ）は図５（ａ）のＤ部拡大断面図である。図６（ａ）は図５（ａ）の状態からスライドロックレバー２０４を係合解除方向にスライド操作してスライドロックレバー２０４と電池収納部材１１０との係合を解除した状態を示す断面図である。図６（ｂ）は電池収納部材１１０に対して電池蓋２００が開いた状態を示す断面図である。
【００３４】
図５（ａ）に示す状態では、スライドロックレバー２０４の係合部２０４ａが電池収納部材１１０の穴部１１０ｅに挿入されて電池収納部材１１０に係合しているため、電池蓋２００は、電池収納部材１１０に対して閉じ状態に維持されている。このとき、図５（ｂ）及び図５（ｃ）に示すように、パッキン部材２０３の密閉部２０３ｃが電池収納部材１１０の密閉部１１０ｃに弾性接触して密着している為、前述したように、外部から電池収納部１１０ａへ塵埃や水等の異物が侵入するのを防ぐことができる。
【００３５】
図６（ａ）の状態では、図５（ａ）の状態からスライドロックレバー２０４を係合解除方向にスライド操作しているため、係合部２０４ａが穴部１１０ｅから外れ、電池蓋２００は、トーションバネ２０２の付勢力によって回動軸２０７中心に開方向に回動する。
【００３６】
ここで、電池蓋２００のカバー部材２０１には、電池蓋２００の外装面から突出するストッパリブ２０１ｃが設けられている。また、電池収納部材１１０には、電池蓋２００の開状態でストッパリブ２０１ｃが当接して電池蓋２００のそれ以上の開方向への回動を規制する回動規制部１１０ｆが設けられている。
【００３７】
図６（ｂ）は、電池蓋２００が全開位置まで回動した状態を示しており、ストッパリブ２０１ｃが回動規制部１１０ｆに当接して電池蓋２００のそれ以上の開方向への回動が規制されている。このとき、電池蓋２００には、トーションバネ２０２による開方向への付勢力が作用している。
【００３８】
ところで、電池蓋２００は、図６（ａ）に示すスライドロックレバー２０４の係合解除状態から図６（ｂ）に示す全開状態までトーションバネ２０２の付勢力により勢いよく回動する。このため、電池蓋２００のストッパリブ２０１ｃが回動規制部１１０ｆに激しく衝突し、大きな衝突音や励振音が発生する。
【００３９】
また、電池蓋２００が開閉動作するごとにストッパリブ２０１ｃが回動規制部１１０ｆに衝突する為、衝突部分が削れて削れ粉が発生し、その削れ粉がカメラ本体１０１の内部へ侵入してカメラ動作に悪影響を与える可能性がある。以下、この点について、図７を参照して説明する。
【００４０】
図７（ａ）は、電池蓋２００が開方向に回動してストッパリブ２０１ｃが電池収納部材１１０の回動規制部１１０ｆに衝突する直前の状態を示す要部断面図である。図７（ｂ）は、電池蓋２００が全開位置まで開方向に回動してストッパリブ２０１ｃが電池収納部材１１０の回動規制部１１０ｆに衝突した状態を示す要部断面図である。
【００４１】
図７（ａ）の状態では、パッキン部材２０３の突出部２０３ｂが電池収納部材１１０に設けられた当接部１１０ｇに当接している。一方、電池蓋２００のストッパリブ２０１ｃは、電池収納部材１１０の回動規制部１１０ｆに当接していない。突出部２０３ｂは、本発明の被当接部の一例に相当する。
【００４２】
図７（ｂ）の状態では、電池蓋２００のストッパリブ２０１ｃが回動規制部１１０ｆに当接して電池蓋２００のそれ以上の回動が規制されると共に、パッキン部材２０３の突出部２０３ｂが電池収納部材１１０の当接部１１０ｇに弾性変形した状態で当接している。
【００４３】
なお、パッキン部材２０３の突出部２０３ｂは、トーションバネ２０２の付勢力に対して比較的剛性が低くなるよう設計され、電池蓋２００の全開位置で弾性変形状態を維持して電池収納部材１１０の当接部１１０ｇに当接する。
【００４４】
また、パッキン部材２０３の突出部２０３ｂが当接部１１０ｇに当接する際、必要以上に変形するのを抑制するため、パッキン部材２０３の穴部２０３ａに回動軸２０７を挿通させている。これにより、電池蓋２００の回動時におけるパッキン部材２０３の突出部２０３ｂの電池蓋２００に対する位置が安定し、電池蓋２００が意図しない部位に接触して電池蓋２００の回動動作に影響を与えることを回避することができる。
【００４５】
このように、電池蓋２００が全開位置まで回動する直前にパッキン部材２０３の突出部２０３ｂを電池収納部材１１０の当接部１１０ｇに当接させることで、電池蓋２００の回動速度を減速させることができる。これにより、電池蓋２００のストッパリブ２０１ｃが電池収納部材１１０の回動規制部１１０ｆに衝突した際の衝突音や励振音を抑制することができるとともに、衝突部分の削れ粉の発生も抑制することができる。
【００４６】
以上説明したように、本実施形態では、緩衝部材等の新たな部品を追加することなく、電池蓋２００を開く際の衝突音や励振音を低減することができるとともに、電池蓋２００の衝突時に発生する削れ粉によるカメラ動作への影響を回避することができる。
【００４７】
（第２の実施形態）
次に、図８を参照して、本発明の電子機器の第２の実施形態であるデジタルカメラについて説明する。なお、上記第１の実施形態と重複する部分については、図に同一符号を付してその説明を省略する。
【００４８】
図８（ａ）は電池蓋２００が閉じている状態での要部断面図、図８（ｂ）は電池蓋２００が全開位置まで回動した状態での要部断面図である。
【００４９】
本実施形態では、図８（ａ）に示すように、パッキン部材２０３に、突出部２０３ｂに加えて、密閉用突出部２０３ｄが突出部２０３ｂの近傍に位置して設けられている。密閉用突出部２０３ｄは、電池蓋２００の閉じ状態においては、電池収納部材１１０に設けられた密閉部１１０ｈに弾性変形した状態で接触している。密閉用突出部２０３ｄは、本発明のシール部の一例に相当する。
【００５０】
また、密閉部１１０ｈは、密閉部１１０ｃに対して、電池蓋２００の閉じ状態において、回動軸２０７を間に挟んで反対側に配置されている。密閉用突出部２０３ｄと密閉部１１０ｈを設けることで、図８（ａ）に示す隙間部Ｓから塵埃や水等の異物が回動軸２０７の周囲の空間に侵入するのを防ぐことができ、シール効果を更に高めることができる。
【００５１】
図８（ｂ）の状態では、上記第１の実施形態と同様に、電池蓋２００は、回動規制部１１０ｆにより回動規制されて、電池収納部材１１０の当接部１１０ｇにパッキン部材２０３の突出部２０３ｂが弾性変形した状態で当接している。このとき、密閉用突出部２０３ｄは、電池収納部材１１０には接触していない。
【００５２】
このように、電池収納部材１１０の密閉部１１０ｈにパッキン部材２０３の密閉用突出部２０３ｄを電池蓋２００が閉じている状態にのみに接触させ、電池蓋２００の回動時と電池蓋２００の開状態には接触させないようにしている。これにより、トーションバネ２０２の付勢力による電池蓋２００の開方向へのスムースな回動動作を確保することができる。
【００５３】
なお、本実施形態では、パッキン部材２０３に２つの突出部２０３ｂ，２０３ｄを別々に設けた場合を例示したが、突出部２０３ｂ，２０３ｄを一体に形成して１つの突出部としてもよい。その他の構成、及び作用効果は、上記第１の実施形態と同様である。
【００５４】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【００５５】
１０１  カメラ本体
１１０  電池収納部材
１１０ａ  電池収納部
１１０ｆ  回動規制部
１１０ｇ  当接部
２００  電池蓋
２０１ｃ  ストッパリブ
２０２  トーションバネ
２０３  パッキン部材
２０３ｂ  突出部
２０７  回動軸
【図１】
0006548384.tif 000002
【図２】
0006548384.tif 000003
【図３】
0006548384.tif 000004
【図４】
0006548384.tif 000005
【図５】
0006548384.tif 000006
【図６】
0006548384.tif 000007
【図７】
0006548384.tif 000008
【図８】
0006548384.tif 000009